(57)【特許請求の範囲】
【請求項１】
入力する画像データを操作表示手段の表示面に表示し、編集設定を受け付けて編集処理を施し、前記表示面に編集した画像を表示する画像表示装置において、
入力する前記画像データが文字画像、写真画像、図表画像、およびその他の画像のうちのいずれの画像種であるかを解析して前記画像データを部分画像である領域に分割する分割手段と、
前記画像データを、前記分割手段によって分割された分割領域に分けて、前記表示面に表示させる表示制御手段と、
前記表示面に表示された前記分割領域を指定する入力を受け付け、受け付けた入力の態様に応じて、当該分割領域の少なくとも選択および非選択を含む選択状態を更新し、少なくとも１の分割領域の選択状態が選択に更新されている状態で、前記表示面に表示されている選択状態が非選択の他の分割領域を１箇所指定する入力を受け付けた場合に当該他の分割領域の前記選択状態を選択に更新し、前記表示面に表示されている選択状態が非選択の他の分割領域を複数箇所指定する入力を受け付けた場合に当該他の分割領域の前記選択状態を選択に更新するとともに、前記１の分割領域を含む選択状態が選択に更新されている分割領域の前記選択状態を非選択に更新する指定手段と、
前記指定手段によって前記選択状態が選択に更新された分割領域に対して、削除、移動、拡大、および縮小の少なくともいずれかを含む編集設定を受け付け、受け付けた編集設定に基づいて、前記編集処理を施す編集手段と、を備え、
前記表示制御手段は、前記指定手段によって前記選択状態が選択に更新された分割領域を、当該分割領域の前記選択状態が選択であることを識別可能な態様で前記表示面に表示させ、前記編集手段によって編集処理を施された編集後画像を、前記表示面に表示させるものであることを特徴とする画像表示装置。
【請求項２】
入力する画像データを操作表示手段の表示面に表示し、編集設定を受け付けて編集処理を施し、前記表示面に編集した画像を表示する画像表示装置において、
入力する前記画像データが文字画像、写真画像、図表画像、およびその他の画像のうちのいずれの画像種であるかを解析して前記画像データを部分画像である領域に分割する分割手段と、
前記画像データを、前記分割手段によって分割された分割領域に分けて、前記表示面に表示させる表示制御手段と、
前記表示面に表示されている分割領域を指定する入力の間隔時間を計時する計時手段と、
前記表示面に表示された前記分割領域を指定する入力を受け付け、受け付けた入力の態様に応じて、当該分割領域の少なくとも選択および非選択を含む選択状態を更新し、少なくとも１の分割領域の選択状態が選択に更新されている状態で、前記表示面に表示されている選択状態が非選択の他の分割領域を指定する入力を受け付け、前記間隔時間が所定時間より短い場合に当該他の分割領域の前記選択状態を選択に更新するとともに、前記１の分割領域を含む選択状態が選択に更新されている分割領域の前記選択状態を非選択に更新し、前記間隔時間が所定時間より長い場合に当該他の分割領域の前記選択状態を選択に更新する指定手段と、
前記指定手段によって前記選択状態が選択に更新された分割領域に対して、削除、移動、拡大、および縮小の少なくともいずれかを含む編集設定を受け付け、受け付けた編集設定に基づいて、前記編集処理を施す編集手段と、を備え、
前記表示制御手段は、前記指定手段によって前記選択状態が選択に更新された分割領域を、当該分割領域の前記選択状態が選択であることを識別可能な態様で前記表示面に表示させ、前記編集手段によって編集処理を施された編集後画像を、前記表示面に表示させるものであることを特徴とする画像表示装置。
【請求項３】
入力する画像データを操作表示手段の表示面に表示し、編集設定を受け付けて編集処理を施し、前記表示面に編集した画像を表示する画像表示装置において、
入力する前記画像データが文字画像、写真画像、図表画像、およびその他の画像のうちのいずれの画像種であるかを解析して前記画像データを部分画像である領域に分割する分割手段と、
前記画像データを、前記分割手段によって分割された分割領域に分けて、前記表示面に表示させる表示制御手段と、
前記表示面に表示されている分割領域を指定する入力の間隔時間を計時する計時手段と、
前記表示面に表示された前記分割領域を指定する入力を受け付け、受け付けた入力の態様に応じて、当該分割領域の少なくとも選択および非選択を含む選択状態を更新し、少なくとも１の分割領域の選択状態が選択に更新されている状態で、前記表示面に表示されている選択状態が非選択の他の分割領域を指定する入力を受け付け、前記間隔時間が所定時間より長い場合に当該他の分割領域の前記選択状態を選択に更新するとともに、前記１の分割領域を含む選択状態が選択に更新されている分割領域の前記選択状態を非選択に更新し、前記間隔時間が所定時間より短い場合に当該他の分割領域の前記選択状態を選択に更新する指定手段と、
前記指定手段によって前記選択状態が選択に更新された分割領域に対して、削除、移動、拡大、および縮小の少なくともいずれかを含む編集設定を受け付け、受け付けた編集設定に基づいて、前記編集処理を施す編集手段と、を備え、
前記表示制御手段は、前記指定手段によって前記選択状態が選択に更新された分割領域を、当該分割領域の前記選択状態が選択であることを識別可能な態様で前記表示面に表示させ、前記編集手段によって編集処理を施された編集後画像を、前記表示面に表示させるものであることを特徴とする画像表示装置。
【請求項４】
入力する画像データを操作表示手段の表示面に表示し、編集設定を受け付けて編集処理を施し、前記表示面に編集した画像を表示する画像表示装置において、
入力する前記画像データが文字画像、写真画像、図表画像、およびその他の画像のうちのいずれの画像種であるかを解析して前記画像データを部分画像である領域に分割する分割手段と、
前記画像データを、前記分割手段によって分割された分割領域に分けて、前記表示面に表示させる表示制御手段と、
前記表示面に表示されている分割領域を指定する入力の入力継続時間を計時する計時手段と、
前記表示面に表示された前記分割領域を指定する入力を受け付け、受け付けた入力の態様に応じて、当該分割領域の少なくとも選択および非選択を含む選択状態を更新し、少なくとも１の分割領域の選択状態が選択に更新されている状態で、前記表示面に表示されている選択状態が非選択の他の分割領域を指定する入力を受け付け、前記入力継続時間が所定時間より短い場合に当該他の分割領域の前記選択状態を選択に更新するとともに、前記１の分割領域を含む選択状態が選択に更新されている分割領域の前記選択状態を非選択に更新し、前記入力継続時間が所定時間より長い場合に当該他の分割領域の前記選択状態を選択に更新する指定手段と、
前記指定手段によって前記選択状態が選択に更新された分割領域に対して、削除、移動、拡大、および縮小の少なくともいずれかを含む編集設定を受け付け、受け付けた編集設定に基づいて、前記編集処理を施す編集手段と、を備え、
前記表示制御手段は、前記指定手段によって前記選択状態が選択に更新された分割領域を、当該分割領域の前記選択状態が選択であることを識別可能な態様で前記表示面に表示させ、前記編集手段によって編集処理を施された編集後画像を、前記表示面に表示させるものであることを特徴とする画像表示装置。
【請求項５】
入力する画像データを操作表示手段の表示面に表示し、編集設定を受け付けて編集処理を施し、前記表示面に編集した画像を表示する画像表示装置において、
入力する前記画像データが文字画像、写真画像、図表画像、およびその他の画像のうちのいずれの画像種であるかを解析して前記画像データを部分画像である領域に分割する分割手段と、
前記画像データを、前記分割手段によって分割された分割領域に分けて、前記表示面に表示させる表示制御手段と、
前記表示面に表示されている分割領域を指定する入力の入力継続時間を計時する計時手段と、
前記表示面に表示された前記分割領域を指定する入力を受け付け、受け付けた入力の態様に応じて、当該分割領域の少なくとも選択および非選択を含む選択状態を更新し、前記指定手段は、少なくとも１の分割領域の選択状態が選択に更新されている状態で、前記表示面に表示されている選択状態が非選択の他の分割領域を指定する入力を受け付け、前記入力継続時間が所定時間より長い場合に当該他の分割領域の前記選択状態を選択に更新するとともに、前記１の分割領域を含む選択状態が選択に更新されている分割領域の前記選択状態を非選択に更新し、前記入力継続時間が所定時間より短い場合に当該他の分割領域の前記選択状態を選択に更新する指定手段と、
前記指定手段によって前記選択状態が選択に更新された分割領域に対して、削除、移動、拡大、および縮小の少なくともいずれかを含む編集設定を受け付け、受け付けた編集設定に基づいて、前記編集処理を施す編集手段と、を備え、
前記表示制御手段は、前記指定手段によって前記選択状態が選択に更新された分割領域を、当該分割領域の前記選択状態が選択であることを識別可能な態様で前記表示面に表示させ、前記編集手段によって編集処理を施された編集後画像を、前記表示面に表示させるものであることを特徴とする画像表示装置。
【請求項６】
前記表示制御手段は、前記指定手段により選択状態が選択に更新されている分割領域を指定する入力が受け付けられた場合に、編集処理メニューを前記表示面に表示させ、
前記編集手段は、前記表示面に表示された前記編集処理メニューを介して前記編集設定を受け付け、受け付けた編集設定に基づいて、前記編集処理を施すものであることを特徴とする請求項１〜５のいずれか１つに記載の画像表示装置。
【請求項７】
前記指定手段は、選択状態が選択に更新されている分割領域を指定する入力を受け付けた場合、当該分割領域の前記選択状態を非選択に更新するものであることを特徴とする請求項１〜５のいずれか１つに記載の画像表示装置。
【請求項８】
前記表示制御手段は、前記指定手段により選択状態が非選択の分割領域を指定する入力が受け付けられた場合に、前記表示面に新規選択、追加選択、および選択解除を含む選択メニューを表示させ、
前記指定手段は、前記表示面に表示された前記選択メニューを指定する入力を受け付け、受け付けた選択メニューに応じて、分割領域の選択状態を更新するものであることを特徴とする請求項１〜５のいずれか１つに記載の画像表示装置。
【請求項９】
前記分割領域と前記分割領域の前記選択状態とを対応付けて記憶する記憶手段を、さらに備えるものであることを特徴とする請求項１〜８のいずれか１つに記載の画像表示装置。
【請求項１０】
入力する画像データを操作表示手段の表示面に表示し、編集設定を受け付けて編集処理を施し、前記表示面に編集した画像を表示する画像表示装置における画像表示方法であって、
分割手段によって、入力する前記画像データが文字画像、写真画像、図表画像、およびその他の画像のうちのいずれの画像種であるかを解析して前記画像データを部分画像である領域に分割する分割工程と、
表示制御手段によって、前記画像データを、前記分割工程で分割された分割領域に分けて、前記表示面に表示させる表示制御工程と、
指定手段によって、前記表示面に表示された前記分割領域を指定する入力を受け付け、受け付けた入力の態様に応じて、当該分割領域の少なくとも選択および非選択を含む選択状態を更新し、少なくとも１の分割領域の選択状態が選択に更新されている状態で、前記表示面に表示されている選択状態が非選択の他の分割領域を１箇所指定する入力を受け付けた場合に当該他の分割領域の前記選択状態を選択に更新し、前記表示面に表示されている選択状態が非選択の他の分割領域を複数箇所指定する入力を受け付けた場合に当該他の分割領域の前記選択状態を選択に更新するとともに、前記１の分割領域を含む選択状態が選択に更新されている分割領域の前記選択状態を非選択に更新する指定工程と、
編集手段によって、前記指定工程で前記選択状態が選択に更新された分割領域に対して、前記表示面から、削除、移動、拡大、および縮小の少なくともいずれかを含む編集設定を受け付け、受け付けた編集設定に基づいて、編集処理を施す編集工程と、を含み、
前記表示制御工程は、前記指定工程で前記選択状態が選択に更新された分割領域を、当該分割領域の前記選択状態が選択であることを識別可能な態様で前記表示面に表示させ、前記編集工程で編集処理を施された編集後画像を、前記表示面に表示させるものであることを特徴とする画像表示方法。
【請求項１１】
入力する画像データを操作表示手段の表示面に表示し、編集設定を受け付けて編集処理を施し、前記表示面に編集した画像を表示する画像表示装置における画像表示方法であって、
分割手段によって、入力する前記画像データが文字画像、写真画像、図表画像、およびその他の画像のうちのいずれの画像種であるかを解析して前記画像データを部分画像である領域に分割する分割工程と、
表示制御手段によって、前記画像データを、前記分割工程で分割された分割領域に分けて、前記表示面に表示させる表示制御工程と、
計時手段によって、前記表示面に表示されている分割領域を指定する入力の間隔時間を計時する計時工程と、
指定手段によって、前記表示面に表示された前記分割領域を指定する入力を受け付け、受け付けた入力の態様に応じて、当該分割領域の少なくとも選択および非選択を含む選択状態を更新し、少なくとも１の分割領域の選択状態が選択に更新されている状態で、前記表示面に表示されている選択状態が非選択の他の分割領域を指定する入力を受け付け、前記間隔時間が所定時間より短い場合に当該他の分割領域の前記選択状態を選択に更新するとともに、前記１の分割領域を含む選択状態が選択に更新されている分割領域の前記選択状態を非選択に更新し、前記間隔時間が所定時間より長い場合に当該他の分割領域の前記選択状態を選択に更新する指定工程と、
編集手段によって、前記指定工程で前記選択状態が選択に更新された分割領域に対して、前記表示面から、削除、移動、拡大、および縮小の少なくともいずれかを含む編集設定を受け付け、受け付けた編集設定に基づいて、編集処理を施す編集工程と、を含み、
前記表示制御工程は、前記指定工程で前記選択状態が選択に更新された分割領域を、当該分割領域の前記選択状態が選択であることを識別可能な態様で前記表示面に表示させ、前記編集工程で編集処理を施された編集後画像を、前記表示面に表示させるものであることを特徴とする画像表示方法。
【請求項１２】
入力する画像データを操作表示手段の表示面に表示し、編集設定を受け付けて編集処理を施し、前記表示面に編集した画像を表示する画像表示装置における画像表示方法であって、
分割手段によって、入力する前記画像データが文字画像、写真画像、図表画像、およびその他の画像のうちのいずれの画像種であるかを解析して前記画像データを部分画像である領域に分割する分割工程と、
表示制御手段によって、前記画像データを、前記分割工程で分割された分割領域に分けて、前記表示面に表示させる表示制御工程と、
計時手段によって、前記表示面に表示されている分割領域を指定する入力の間隔時間を計時する計時工程と、
指定手段によって、前記表示面に表示された前記分割領域を指定する入力を受け付け、受け付けた入力の態様に応じて、当該分割領域の少なくとも選択および非選択を含む選択状態を更新し、少なくとも１の分割領域の選択状態が選択に更新されている状態で、前記表示面に表示されている選択状態が非選択の他の分割領域を指定する入力を受け付け、前記間隔時間が所定時間より長い場合に当該他の分割領域の前記選択状態を選択に更新するとともに、前記１の分割領域を含む選択状態が選択に更新されている分割領域の前記選択状態を非選択に更新し、前記間隔時間が所定時間より短い場合に当該他の分割領域の前記選択状態を選択に更新する指定工程と、
編集手段によって、前記指定工程で前記選択状態が選択に更新された分割領域に対して、前記表示面から、削除、移動、拡大、および縮小の少なくともいずれかを含む編集設定を受け付け、受け付けた編集設定に基づいて、編集処理を施す編集工程と、を含み、
前記表示制御工程は、前記指定工程で前記選択状態が選択に更新された分割領域を、当該分割領域の前記選択状態が選択であることを識別可能な態様で前記表示面に表示させ、前記編集工程で編集処理を施された編集後画像を、前記表示面に表示させるものであることを特徴とする画像表示方法。
【請求項１３】
入力する画像データを操作表示手段の表示面に表示し、編集設定を受け付けて編集処理を施し、前記表示面に編集した画像を表示する画像表示装置における画像表示方法であって、
分割手段によって、入力する前記画像データが文字画像、写真画像、図表画像、およびその他の画像のうちのいずれの画像種であるかを解析して前記画像データを部分画像である領域に分割する分割工程と、
表示制御手段によって、前記画像データを、前記分割工程で分割された分割領域に分けて、前記表示面に表示させる表示制御工程と、
計時手段によって、前記表示面に表示されている分割領域を指定する入力の入力継続時間を計時する計時工程と、
指定手段によって、前記表示面に表示された前記分割領域を指定する入力を受け付け、受け付けた入力の態様に応じて、当該分割領域の少なくとも選択および非選択を含む選択状態を更新し、少なくとも１の分割領域の選択状態が選択に更新されている状態で、前記表示面に表示されている選択状態が非選択の他の分割領域を指定する入力を受け付け、前記入力継続時間が所定時間より短い場合に当該他の分割領域の前記選択状態を選択に更新するとともに、前記１の分割領域を含む選択状態が選択に更新されている分割領域の前記選択状態を非選択に更新し、前記入力継続時間が所定時間より長い場合に当該他の分割領域の前記選択状態を選択に更新する指定工程と、
編集手段によって、前記指定工程で前記選択状態が選択に更新された分割領域に対して、前記表示面から、削除、移動、拡大、および縮小の少なくともいずれかを含む編集設定を受け付け、受け付けた編集設定に基づいて、編集処理を施す編集工程と、を含み、
前記表示制御工程は、前記指定工程で前記選択状態が選択に更新された分割領域を、当該分割領域の前記選択状態が選択であることを識別可能な態様で前記表示面に表示させ、前記編集工程で編集処理を施された編集後画像を、前記表示面に表示させるものであることを特徴とする画像表示方法。
【請求項１４】
入力する画像データを操作表示手段の表示面に表示し、編集設定を受け付けて編集処理を施し、前記表示面に編集した画像を表示する画像表示装置における画像表示方法であって、
分割手段によって、入力する前記画像データが文字画像、写真画像、図表画像、およびその他の画像のうちのいずれの画像種であるかを解析して前記画像データを部分画像である領域に分割する分割工程と、
表示制御手段によって、前記画像データを、前記分割工程で分割された分割領域に分けて、前記表示面に表示させる表示制御工程と、
計時手段によって、前記表示面に表示されている分割領域を指定する入力の入力継続時間を計時する計時工程と、
指定手段によって、前記表示面に表示された前記分割領域を指定する入力を受け付け、受け付けた入力の態様に応じて、当該分割領域の少なくとも選択および非選択を含む選択状態を更新し、少なくとも１の分割領域の選択状態が選択に更新されている状態で、前記表示面に表示されている選択状態が非選択の他の分割領域を指定する入力を受け付け、前記入力継続時間が所定時間より長い場合に当該他の分割領域の前記選択状態を選択に更新するとともに、前記１の分割領域を含む選択状態が選択に更新されている分割領域の前記選択状態を非選択に更新し、前記入力継続時間が所定時間より短い場合に当該他の分割領域の前記選択状態を選択に更新する指定工程と、
編集手段によって、前記指定工程で前記選択状態が選択に更新された分割領域に対して、前記表示面から、削除、移動、拡大、および縮小の少なくともいずれかを含む編集設定を受け付け、受け付けた編集設定に基づいて、編集処理を施す編集工程と、を含み、
前記表示制御工程は、前記指定工程で前記選択状態が選択に更新された分割領域を、当該分割領域の前記選択状態が選択であることを識別可能な態様で前記表示面に表示させ、前記編集工程で編集処理を施された編集後画像を、前記表示面に表示させるものであることを特徴とする画像表示方法。
【請求項１５】
前記表示制御工程は、前記指定工程により選択状態が選択に更新されている分割領域を指定する入力が受け付けられた場合に、編集処理メニューを前記表示面に表示させ、
前記編集工程は、前記表示面に表示された前記編集処理メニューを介して前記編集設定を受け付け、受け付けた編集設定に基づいて、前記編集処理を施すものであることを特徴とする請求項１０〜１４のいずれか１つに記載の画像表示方法。
【請求項１６】
前記指定工程は、選択状態が選択に更新されている分割領域を指定する入力を受け付けた場合、当該分割領域の前記選択状態を非選択に更新するものであることを特徴とする請求項１０〜１４のいずれか１つに記載の画像表示方法。
【請求項１７】
前記表示制御工程は、前記指定手段により選択状態が非選択の分割領域を指定する入力が受け付けられた場合に、前記表示面に新規選択、追加選択、および選択解除を含む選択メニューを表示させ、
前記指定工程は、前記表示面に表示された前記選択メニューを指定する入力を受け付け、受け付けた選択メニューに応じて、分割領域の選択状態を更新するものであることを特徴とする請求項１０〜１４のいずれか１つに記載の画像表示方法。
【請求項１８】
前記分割手段によって、前記分割領域と前記分割領域の前記選択状態とを対応付けて記憶手段に記憶させる記憶工程を、さらに含むものであることを特徴とする請求項１０〜１７のいずれか１つに記載の画像表示方法。
【請求項１９】
入力する画像データを操作表示手段の表示面に表示し、編集設定を受け付けて編集処理を施し、前記表示面に編集した画像を表示する画像表示装置と、前記画像表示装置によって編集処理を施された画像データを画像出力する画像出力手段と、を備えた画像形成装置において、
前記画像表示装置は、
入力する前記画像データが文字画像、写真画像、図表画像、およびその他の画像のうちのいずれの画像種であるかを解析して前記画像データを部分画像である領域に分割する分割手段と、
前記画像データを、前記分割手段によって分割された分割領域に分けて、前記表示面に表示させる表示制御手段と、
前記表示面に表示された前記分割領域を指定する入力を受け付け、受け付けた入力の態様に応じて、当該分割領域の少なくとも選択および非選択を含む選択状態を更新し、少なくとも１の分割領域の選択状態が選択に更新されている状態で、前記表示面に表示されている選択状態が非選択の他の分割領域を１箇所指定する入力を受け付けた場合に当該他の分割領域の前記選択状態を選択に更新し、前記表示面に表示されている選択状態が非選択の他の分割領域を複数箇所指定する入力を受け付けた場合に当該他の分割領域の前記選択状態を選択に更新するとともに、前記１の分割領域を含む選択状態が選択に更新されている分割領域の前記選択状態を非選択に更新する指定手段と、
前記指定手段によって前記選択状態が選択に更新された分割領域に対して、削除、移動、拡大、および縮小の少なくともいずれかを含む編集設定を受け付け、受け付けた編集設定に基づいて、前記編集処理を施す編集手段と、を備え、
前記表示制御手段は、前記指定手段によって前記選択状態が選択に更新された分割領域を、当該分割領域の前記選択状態が選択であることを識別可能な態様で前記表示面に表示させ、前記編集手段によって編集処理を施された編集後画像を、前記表示面に表示させるものであることを特徴とする画像形成装置。
【請求項２０】
入力する画像データを操作表示手段の表示面に表示し、編集設定を受け付けて編集処理を施し、前記表示面に編集した画像を表示する画像表示装置と、前記画像表示装置によって編集処理を施された画像データを画像出力する画像出力手段と、を備えた画像形成装置における画像形成方法であって、
分割手段によって、入力する前記画像データが文字画像、写真画像、図表画像、およびその他の画像のうちのいずれの画像種であるかを解析して前記画像データを部分画像である領域に分割する分割工程と、
表示制御手段によって、前記画像データを、前記分割工程で分割された分割領域に分けて、前記表示面に表示させる表示制御工程と、
指定手段によって、前記表示面に表示された前記分割領域を指定する入力を受け付け、受け付けた入力の態様に応じて、当該分割領域の少なくとも選択および非選択を含む選択状態を更新し、少なくとも１の分割領域の選択状態が選択に更新されている状態で、前記表示面に表示されている選択状態が非選択の他の分割領域を１箇所指定する入力を受け付けた場合に当該他の分割領域の前記選択状態を選択に更新し、前記表示面に表示されている選択状態が非選択の他の分割領域を複数箇所指定する入力を受け付けた場合に当該他の分割領域の前記選択状態を選択に更新するとともに、前記１の分割領域を含む選択状態が選択に更新されている分割領域の前記選択状態を非選択に更新する指定工程と、
編集手段によって、前記指定工程で前記選択状態が選択に更新された分割領域に対して、前記表示面から、削除、移動、拡大、および縮小の少なくともいずれかを含む編集設定を受け付け、受け付けた編集設定に基づいて、編集処理を施す編集工程と、
前記画像出力手段によって、前記編集工程で編集処理を施された画像データを画像出力する画像出力工程と、を含み、
前記表示制御工程は、前記指定工程で前記選択状態が選択に更新された分割領域を、当該分割領域の前記選択状態が選択であることを識別可能な態様で前記表示面に表示させ、前記編集工程で編集処理を施された編集後画像を、前記表示面に表示させるものであることを特徴とする画像形成方法。
【請求項２１】
請求項１０〜１８のいずれか１つに記載の画像表示方法をコンピュータに実行させることを特徴とするプログラム。
【請求項２２】
請求項２０に記載の画像形成方法をコンピュータに実行させることを特徴とするプログラム。
【発明の詳細な説明】
【技術分野】
【０００１】
本発明は、画像表示装置、画像表示方法、画像形成装置、画像形成方法、および、それらの方法をコンピュータに実行させるプログラムに関する。
【背景技術】
【０００２】
従来、デジタル複合機などの画像形成装置においては、操作設定や出力する原稿の状態などを表示して画像のレイアウトなど内容的な編集を行うことは困難だった。そのため、読み込んだ原稿画像から写真や図表だけを集めて印刷しようとする場合、例えば、一度複写して複写紙を裁断し、他の用紙に貼り付けてもう一度複写するという繁雑な作業が必要だった。
【０００３】
このような問題を解決するために、読み込んだ画像データを領域に分割し、分割された領域をユーザが指定して修正を施して印刷することが可能な情報処理装置が考案されている（特許文献１）。この技術によると、確かに、特定の領域の文字情報や領域の大きさを編集することが可能である。
【０００４】
【特許文献１】特開２００１−９４７６０号公報
【発明の開示】
【発明が解決しようとする課題】
【０００５】
しかしながら、特許文献１の技術においては、複数の領域を選択して移動し、あるいは削除して、全体的なレイアウトを変更することはできなかった。つまり、読み取った文字のうち判読しにくいものを修正して印刷することはできたとしても、例えば、原稿画像のうちから写真や図表だけを集めて印刷出力することはできなかった。
【０００６】
本発明は、上記の問題を解決するためになされ、その目的は、入力する画像データに対して、表示画面上に表示させて簡易な操作によって内容を編集できる画像表示装置、画像表示方法、画像形成装置、画像形成方法、および、それらの方法をコンピュータに実行させるプログラムを提供することである。
【課題を解決するための手段】
【００１３】
上述した課題を解決し、目的を達成するために、請求項１にかかる発明は、入力する画像データを操作表示手段の表示面に表示し、編集設定を受け付けて編集処理を施し、前記表示面に編集した画像を表示する画像表示装置において、入力する前記画像データが文字画像、写真画像、図表画像、およびその他の画像のうちのいずれの画像種であるかを解析して前記画像データを部分画像である領域に分割する分割手段と、前記画像データを、前記分割手段によって分割された分割領域に分けて、前記表示面に表示させる表示制御手段と、前記表示面に表示された前記分割領域を指定する入力を受け付け、受け付けた入力の態様に応じて、当該分割領域の少なくとも選択および非選択を含む選択状態を更新し、少なくとも１の分割領域の選択状態が選択に更新されている状態で、前記表示面に表示されている選択状態が非選択の他の分割領域を１箇所指定する入力を受け付けた場合に当該他の分割領域の前記選択状態を選択に更新し、前記表示面に表示されている選択状態が非選択の他の分割領域を複数箇所指定する入力を受け付けた場合に当該他の分割領域の前記選択状態を選択に更新するとともに、前記１の分割領域を含む選択状態が選択に更新されている分割領域の前記選択状態を非選択に更新する指定手段と、前記指定手段によって前記選択状態が選択に更新された分割領域に対して、削除、移動、拡大、および縮小の少なくともいずれかを含む編集設定を受け付け、受け付けた編集設定に基づいて、前記編集処理を施す編集手段と、を備え、前記表示制御手段は、前記指定手段によって前記選択状態が選択に更新された分割領域を、当該分割領域の前記選択状態が選択であることを識別可能な態様で前記表示面に表示させ、前記編集手段によって編集処理を施された編集後画像を、前記表示面に表示させるものであることを特徴とする。
【００１４】
請求項２にかかる発明は、入力する画像データを操作表示手段の表示面に表示し、編集設定を受け付けて編集処理を施し、前記表示面に編集した画像を表示する画像表示装置において、入力する前記画像データが文字画像、写真画像、図表画像、およびその他の画像のうちのいずれの画像種であるかを解析して前記画像データを部分画像である領域に分割する分割手段と、前記画像データを、前記分割手段によって分割された分割領域に分けて、前記表示面に表示させる表示制御手段と、前記表示面に表示されている分割領域を指定する入力の間隔時間を計時する計時手段と、前記表示面に表示された前記分割領域を指定する入力を受け付け、受け付けた入力の態様に応じて、当該分割領域の少なくとも選択および非選択を含む選択状態を更新し、少なくとも１の分割領域の選択状態が選択に更新されている状態で、前記表示面に表示されている選択状態が非選択の他の分割領域を指定する入力を受け付け、前記間隔時間が所定時間より短い場合に当該他の分割領域の前記選択状態を選択に更新するとともに、前記１の分割領域を含む選択状態が選択に更新されている分割領域の前記選択状態を非選択に更新し、前記間隔時間が所定時間より長い場合に当該他の分割領域の前記選択状態を選択に更新する指定手段と、前記指定手段によって前記選択状態が選択に更新された分割領域に対して、削除、移動、拡大、および縮小の少なくともいずれかを含む編集設定を受け付け、受け付けた編集設定に基づいて、前記編集処理を施す編集手段と、を備え、前記表示制御手段は、前記指定手段によって前記選択状態が選択に更新された分割領域を、当該分割領域の前記選択状態が選択であることを識別可能な態様で前記表示面に表示させ、前記編集手段によって編集処理を施された編集後画像を、前記表示面に表示させるものであることを特徴とする。
【００１５】
請求項３にかかる発明は、入力する画像データを操作表示手段の表示面に表示し、編集設定を受け付けて編集処理を施し、前記表示面に編集した画像を表示する画像表示装置において、入力する前記画像データが文字画像、写真画像、図表画像、およびその他の画像のうちのいずれの画像種であるかを解析して前記画像データを部分画像である領域に分割する分割手段と、前記画像データを、前記分割手段によって分割された分割領域に分けて、前記表示面に表示させる表示制御手段と、前記表示面に表示されている分割領域を指定する入力の間隔時間を計時する計時手段と、前記表示面に表示された前記分割領域を指定する入力を受け付け、受け付けた入力の態様に応じて、当該分割領域の少なくとも選択および非選択を含む選択状態を更新し、少なくとも１の分割領域の選択状態が選択に更新されている状態で、前記表示面に表示されている選択状態が非選択の他の分割領域を指定する入力を受け付け、前記間隔時間が所定時間より長い場合に当該他の分割領域の前記選択状態を選択に更新するとともに、前記１の分割領域を含む選択状態が選択に更新されている分割領域の前記選択状態を非選択に更新し、前記間隔時間が所定時間より短い場合に当該他の分割領域の前記選択状態を選択に更新する指定手段と、前記指定手段によって前記選択状態が選択に更新された分割領域に対して、削除、移動、拡大、および縮小の少なくともいずれかを含む編集設定を受け付け、受け付けた編集設定に基づいて、前記編集処理を施す編集手段と、を備え、前記表示制御手段は、前記指定手段によって前記選択状態が選択に更新された分割領域を、当該分割領域の前記選択状態が選択であることを識別可能な態様で前記表示面に表示させ、前記編集手段によって編集処理を施された編集後画像を、前記表示面に表示させるものであることを特徴とする。
【００１６】
請求項４にかかる発明は、入力する画像データを操作表示手段の表示面に表示し、編集設定を受け付けて編集処理を施し、前記表示面に編集した画像を表示する画像表示装置において、入力する前記画像データが文字画像、写真画像、図表画像、およびその他の画像のうちのいずれの画像種であるかを解析して前記画像データを部分画像である領域に分割する分割手段と、前記画像データを、前記分割手段によって分割された分割領域に分けて、前記表示面に表示させる表示制御手段と、前記表示面に表示されている分割領域を指定する入力の入力継続時間を計時する計時手段と、前記表示面に表示された前記分割領域を指定する入力を受け付け、受け付けた入力の態様に応じて、当該分割領域の少なくとも選択および非選択を含む選択状態を更新し、少なくとも１の分割領域の選択状態が選択に更新されている状態で、前記表示面に表示されている選択状態が非選択の他の分割領域を指定する入力を受け付け、前記入力継続時間が所定時間より短い場合に当該他の分割領域の前記選択状態を選択に更新するとともに、前記１の分割領域を含む選択状態が選択に更新されている分割領域の前記選択状態を非選択に更新し、前記入力継続時間が所定時間より長い場合に当該他の分割領域の前記選択状態を選択に更新する指定手段と、前記指定手段によって前記選択状態が選択に更新された分割領域に対して、削除、移動、拡大、および縮小の少なくともいずれかを含む編集設定を受け付け、受け付けた編集設定に基づいて、前記編集処理を施す編集手段と、を備え、前記表示制御手段は、前記指定手段によって前記選択状態が選択に更新された分割領域を、当該分割領域の前記選択状態が選択であることを識別可能な態様で前記表示面に表示させ、前記編集手段によって編集処理を施された編集後画像を、前記表示面に表示させるものであることを特徴とする。
【００１７】
請求項５にかかる発明は、入力する画像データを操作表示手段の表示面に表示し、編集設定を受け付けて編集処理を施し、前記表示面に編集した画像を表示する画像表示装置において、入力する前記画像データが文字画像、写真画像、図表画像、およびその他の画像のうちのいずれの画像種であるかを解析して前記画像データを部分画像である領域に分割する分割手段と、前記画像データを、前記分割手段によって分割された分割領域に分けて、前記表示面に表示させる表示制御手段と、前記表示面に表示されている分割領域を指定する入力の入力継続時間を計時する計時手段と、前記表示面に表示された前記分割領域を指定する入力を受け付け、受け付けた入力の態様に応じて、当該分割領域の少なくとも選択および非選択を含む選択状態を更新し、前記指定手段は、少なくとも１の分割領域の選択状態が選択に更新されている状態で、前記表示面に表示されている選択状態が非選択の他の分割領域を指定する入力を受け付け、前記入力継続時間が所定時間より長い場合に当該他の分割領域の前記選択状態を選択に更新するとともに、前記１の分割領域を含む選択状態が選択に更新されている分割領域の前記選択状態を非選択に更新し、前記入力継続時間が所定時間より短い場合に当該他の分割領域の前記選択状態を選択に更新する指定手段と、前記指定手段によって前記選択状態が選択に更新された分割領域に対して、削除、移動、拡大、および縮小の少なくともいずれかを含む編集設定を受け付け、受け付けた編集設定に基づいて、前記編集処理を施す編集手段と、を備え、前記表示制御手段は、前記指定手段によって前記選択状態が選択に更新された分割領域を、当該分割領域の前記選択状態が選択であることを識別可能な態様で前記表示面に表示させ、前記編集手段によって編集処理を施された編集後画像を、前記表示面に表示させるものであることを特徴とする。
【００１８】
請求項６にかかる発明は、請求項１〜５のいずれか１つに記載の画像表示装置において、前記表示制御手段は、前記指定手段により選択状態が選択に更新されている分割領域を指定する入力が受け付けられた場合に、編集処理メニューを前記表示面に表示させ、前記編集手段は、前記表示面に表示された前記編集処理メニューを介して前記編集設定を受け付け、受け付けた編集設定に基づいて、前記編集処理を施すものであることを特徴とする。
【００１９】
請求項７にかかる発明は、請求項１〜５のいずれか１つに記載の画像表示装置において、前記指定手段は、選択状態が選択に更新されている分割領域を指定する入力を受け付けた場合、当該分割領域の前記選択状態を非選択に更新するものであることを特徴とする。
【００２０】
請求項８にかかる発明は、請求項１〜５のいずれか１つに記載の画像表示装置において、前記表示制御手段は、前記指定手段により選択状態が非選択の分割領域を指定する入力が受け付けられた場合に、前記表示面に新規選択、追加選択、および選択解除を含む選択メニューを表示させ、前記指定手段は、前記表示面に表示された前記選択メニューを指定する入力を受け付け、受け付けた選択メニューに応じて、分割領域の選択状態を更新するものであることを特徴とする。
【００２１】
請求項９にかかる発明は、請求項１〜８のいずれか１つに記載の画像表示装置において、前記分割領域と前記分割領域の前記選択状態とを対応付けて記憶する記憶手段を、さらに備えるものであることを特徴とする。
【００２８】
請求項１０にかかる発明は、入力する画像データを操作表示手段の表示面に表示し、編集設定を受け付けて編集処理を施し、前記表示面に編集した画像を表示する画像表示装置における画像表示方法であって、分割手段によって、入力する前記画像データが文字画像、写真画像、図表画像、およびその他の画像のうちのいずれの画像種であるかを解析して前記画像データを部分画像である領域に分割する分割工程と、表示制御手段によって、前記画像データを、前記分割工程で分割された分割領域に分けて、前記表示面に表示させる表示制御工程と、指定手段によって、前記表示面に表示された前記分割領域を指定する入力を受け付け、受け付けた入力の態様に応じて、当該分割領域の少なくとも選択および非選択を含む選択状態を更新し、少なくとも１の分割領域の選択状態が選択に更新されている状態で、前記表示面に表示されている選択状態が非選択の他の分割領域を１箇所指定する入力を受け付けた場合に当該他の分割領域の前記選択状態を選択に更新し、前記表示面に表示されている選択状態が非選択の他の分割領域を複数箇所指定する入力を受け付けた場合に当該他の分割領域の前記選択状態を選択に更新するとともに、前記１の分割領域を含む選択状態が選択に更新されている分割領域の前記選択状態を非選択に更新する指定工程と、編集手段によって、前記指定工程で前記選択状態が選択に更新された分割領域に対して、前記表示面から、削除、移動、拡大、および縮小の少なくともいずれかを含む編集設定を受け付け、受け付けた編集設定に基づいて、編集処理を施す編集工程と、を含み、前記表示制御工程は、前記指定工程で前記選択状態が選択に更新された分割領域を、当該分割領域の前記選択状態が選択であることを識別可能な態様で前記表示面に表示させ、前記編集工程で編集処理を施された編集後画像を、前記表示面に表示させるものであることを特徴とする。
【００２９】
請求項１１にかかる発明は、入力する画像データを操作表示手段の表示面に表示し、編集設定を受け付けて編集処理を施し、前記表示面に編集した画像を表示する画像表示装置における画像表示方法であって、分割手段によって、入力する前記画像データが文字画像、写真画像、図表画像、およびその他の画像のうちのいずれの画像種であるかを解析して前記画像データを部分画像である領域に分割する分割工程と、表示制御手段によって、前記画像データを、前記分割工程で分割された分割領域に分けて、前記表示面に表示させる表示制御工程と、計時手段によって、前記表示面に表示されている分割領域を指定する入力の間隔時間を計時する計時工程と、指定手段によって、前記表示面に表示された前記分割領域を指定する入力を受け付け、受け付けた入力の態様に応じて、当該分割領域の少なくとも選択および非選択を含む選択状態を更新し、少なくとも１の分割領域の選択状態が選択に更新されている状態で、前記表示面に表示されている選択状態が非選択の他の分割領域を指定する入力を受け付け、前記間隔時間が所定時間より短い場合に当該他の分割領域の前記選択状態を選択に更新するとともに、前記１の分割領域を含む選択状態が選択に更新されている分割領域の前記選択状態を非選択に更新し、前記間隔時間が所定時間より長い場合に当該他の分割領域の前記選択状態を選択に更新する指定工程と、編集手段によって、前記指定工程で前記選択状態が選択に更新された分割領域に対して、前記表示面から、削除、移動、拡大、および縮小の少なくともいずれかを含む編集設定を受け付け、受け付けた編集設定に基づいて、編集処理を施す編集工程と、を含み、前記表示制御工程は、前記指定工程で前記選択状態が選択に更新された分割領域を、当該分割領域の前記選択状態が選択であることを識別可能な態様で前記表示面に表示させ、前記編集工程で編集処理を施された編集後画像を、前記表示面に表示させるものであることを特徴とする。
【００３０】
請求項１２にかかる発明は、入力する画像データを操作表示手段の表示面に表示し、編集設定を受け付けて編集処理を施し、前記表示面に編集した画像を表示する画像表示装置における画像表示方法であって、分割手段によって、入力する前記画像データが文字画像、写真画像、図表画像、およびその他の画像のうちのいずれの画像種であるかを解析して前記画像データを部分画像である領域に分割する分割工程と、表示制御手段によって、前記画像データを、前記分割工程で分割された分割領域に分けて、前記表示面に表示させる表示制御工程と、計時手段によって、前記表示面に表示されている分割領域を指定する入力の間隔時間を計時する計時工程と、指定手段によって、前記表示面に表示された前記分割領域を指定する入力を受け付け、受け付けた入力の態様に応じて、当該分割領域の少なくとも選択および非選択を含む選択状態を更新し、少なくとも１の分割領域の選択状態が選択に更新されている状態で、前記表示面に表示されている選択状態が非選択の他の分割領域を指定する入力を受け付け、前記間隔時間が所定時間より長い場合に当該他の分割領域の前記選択状態を選択に更新するとともに、前記１の分割領域を含む選択状態が選択に更新されている分割領域の前記選択状態を非選択に更新し、前記間隔時間が所定時間より短い場合に当該他の分割領域の前記選択状態を選択に更新する指定工程と、編集手段によって、前記指定工程で前記選択状態が選択に更新された分割領域に対して、前記表示面から、削除、移動、拡大、および縮小の少なくともいずれかを含む編集設定を受け付け、受け付けた編集設定に基づいて、編集処理を施す編集工程と、を含み、前記表示制御工程は、前記指定工程で前記選択状態が選択に更新された分割領域を、当該分割領域の前記選択状態が選択であることを識別可能な態様で前記表示面に表示させ、前記編集工程で編集処理を施された編集後画像を、前記表示面に表示させるものであることを特徴とする。
【００３１】
請求項１３にかかる発明は、入力する画像データを操作表示手段の表示面に表示し、編集設定を受け付けて編集処理を施し、前記表示面に編集した画像を表示する画像表示装置における画像表示方法であって、分割手段によって、入力する前記画像データが文字画像、写真画像、図表画像、およびその他の画像のうちのいずれの画像種であるかを解析して前記画像データを部分画像である領域に分割する分割工程と、表示制御手段によって、前記画像データを、前記分割工程で分割された分割領域に分けて、前記表示面に表示させる表示制御工程と、計時手段によって、前記表示面に表示されている分割領域を指定する入力の入力継続時間を計時する計時工程と、指定手段によって、前記表示面に表示された前記分割領域を指定する入力を受け付け、受け付けた入力の態様に応じて、当該分割領域の少なくとも選択および非選択を含む選択状態を更新し、少なくとも１の分割領域の選択状態が選択に更新されている状態で、前記表示面に表示されている選択状態が非選択の他の分割領域を指定する入力を受け付け、前記入力継続時間が所定時間より短い場合に当該他の分割領域の前記選択状態を選択に更新するとともに、前記１の分割領域を含む選択状態が選択に更新されている分割領域の前記選択状態を非選択に更新し、前記入力継続時間が所定時間より長い場合に当該他の分割領域の前記選択状態を選択に更新する指定工程と、編集手段によって、前記指定工程で前記選択状態が選択に更新された分割領域に対して、前記表示面から、削除、移動、拡大、および縮小の少なくともいずれかを含む編集設定を受け付け、受け付けた編集設定に基づいて、編集処理を施す編集工程と、を含み、前記表示制御工程は、前記指定工程で前記選択状態が選択に更新された分割領域を、当該分割領域の前記選択状態が選択であることを識別可能な態様で前記表示面に表示させ、前記編集工程で編集処理を施された編集後画像を、前記表示面に表示させるものであることを特徴とする。
【００３２】
請求項１４にかかる発明は、入力する画像データを操作表示手段の表示面に表示し、編集設定を受け付けて編集処理を施し、前記表示面に編集した画像を表示する画像表示装置における画像表示方法であって、分割手段によって、入力する前記画像データが文字画像、写真画像、図表画像、およびその他の画像のうちのいずれの画像種であるかを解析して前記画像データを部分画像である領域に分割する分割工程と、表示制御手段によって、前記画像データを、前記分割工程で分割された分割領域に分けて、前記表示面に表示させる表示制御工程と、計時手段によって、前記表示面に表示されている分割領域を指定する入力の入力継続時間を計時する計時工程と、指定手段によって、前記表示面に表示された前記分割領域を指定する入力を受け付け、受け付けた入力の態様に応じて、当該分割領域の少なくとも選択および非選択を含む選択状態を更新し、少なくとも１の分割領域の選択状態が選択に更新されている状態で、前記表示面に表示されている選択状態が非選択の他の分割領域を指定する入力を受け付け、前記入力継続時間が所定時間より長い場合に当該他の分割領域の前記選択状態を選択に更新するとともに、前記１の分割領域を含む選択状態が選択に更新されている分割領域の前記選択状態を非選択に更新し、前記入力継続時間が所定時間より短い場合に当該他の分割領域の前記選択状態を選択に更新する指定工程と、編集手段によって、前記指定工程で前記選択状態が選択に更新された分割領域に対して、前記表示面から、削除、移動、拡大、および縮小の少なくともいずれかを含む編集設定を受け付け、受け付けた編集設定に基づいて、編集処理を施す編集工程と、を含み、前記表示制御工程は、前記指定工程で前記選択状態が選択に更新された分割領域を、当該分割領域の前記選択状態が選択であることを識別可能な態様で前記表示面に表示させ、前記編集工程で編集処理を施された編集後画像を、前記表示面に表示させるものであることを特徴とする。
【００３３】
請求項１５にかかる発明は、請求項１０〜１４のいずれか１つに記載の画像表示方法において、前記表示制御工程は、前記指定工程により選択状態が選択に更新されている分割領域を指定する入力が受け付けられた場合に、編集処理メニューを前記表示面に表示させ、前記編集工程は、前記表示面に表示された前記編集処理メニューを介して前記編集設定を受け付け、受け付けた編集設定に基づいて、前記編集処理を施すものであることを特徴とする。
【００３４】
請求項１６にかかる発明は、請求項１０〜１４のいずれか１つに記載の画像表示方法において、前記指定工程は、選択状態が選択に更新されている分割領域を指定する入力を受け付けた場合、当該分割領域の前記選択状態を非選択に更新するものであることを特徴とする。
【００３５】
請求項１７にかかる発明は、請求項１０〜１４のいずれか１つに記載の画像表示方法において、前記表示制御工程は、前記指定手段により選択状態が非選択の分割領域を指定する入力が受け付けられた場合に、前記表示面に新規選択、追加選択、および選択解除を含む選択メニューを表示させ、前記指定工程は、前記表示面に表示された前記選択メニューを指定する入力を受け付け、受け付けた選択メニューに応じて、分割領域の選択状態を更新するものであることを特徴とする。
【００３６】
請求項１８にかかる発明は、請求項１０〜１７のいずれか１つに記載の画像表示方法において、前記分割手段によって、前記分割領域と前記分割領域の前記選択状態とを対応付けて記憶手段に記憶させる記憶工程を、さらに含むものであることを特徴とする。
【００３７】
請求項１９にかかる発明は、入力する画像データを操作表示手段の表示面に表示し、編集設定を受け付けて編集処理を施し、前記表示面に編集した画像を表示する画像表示装置と、前記画像表示装置によって編集処理を施された画像データを画像出力する画像出力手段と、を備えた画像形成装置において、前記画像表示装置は、入力する前記画像データが文字画像、写真画像、図表画像、およびその他の画像のうちのいずれの画像種であるかを解析して前記画像データを部分画像である領域に分割する分割手段と、前記画像データを、前記分割手段によって分割された分割領域に分けて、前記表示面に表示させる表示制御手段と、前記表示面に表示された前記分割領域を指定する入力を受け付け、受け付けた入力の態様に応じて、当該分割領域の少なくとも選択および非選択を含む選択状態を更新し、少なくとも１の分割領域の選択状態が選択に更新されている状態で、前記表示面に表示されている選択状態が非選択の他の分割領域を１箇所指定する入力を受け付けた場合に当該他の分割領域の前記選択状態を選択に更新し、前記表示面に表示されている選択状態が非選択の他の分割領域を複数箇所指定する入力を受け付けた場合に当該他の分割領域の前記選択状態を選択に更新するとともに、前記１の分割領域を含む選択状態が選択に更新されている分割領域の前記選択状態を非選択に更新する指定手段と、前記指定手段によって前記選択状態が選択に更新された分割領域に対して、削除、移動、拡大、および縮小の少なくともいずれかを含む編集設定を受け付け、受け付けた編集設定に基づいて、前記編集処理を施す編集手段と、を備え、前記表示制御手段は、前記指定手段によって前記選択状態が選択に更新された分割領域を、当該分割領域の前記選択状態が選択であることを識別可能な態様で前記表示面に表示させ、前記編集手段によって編集処理を施された編集後画像を、前記表示面に表示させるものであることを特徴とする。
【００３８】
請求項２０にかかる発明は、入力する画像データを操作表示手段の表示面に表示し、編集設定を受け付けて編集処理を施し、前記表示面に編集した画像を表示する画像表示装置と、前記画像表示装置によって編集処理を施された画像データを画像出力する画像出力手段と、を備えた画像形成装置における画像形成方法であって、分割手段によって、入力する前記画像データが文字画像、写真画像、図表画像、およびその他の画像のうちのいずれの画像種であるかを解析して前記画像データを部分画像である領域に分割する分割工程と、表示制御手段によって、前記画像データを、前記分割工程で分割された分割領域に分けて、前記表示面に表示させる表示制御工程と、指定手段によって、前記表示面に表示された前記分割領域を指定する入力を受け付け、受け付けた入力の態様に応じて、当該分割領域の少なくとも選択および非選択を含む選択状態を更新し、少なくとも１の分割領域の選択状態が選択に更新されている状態で、前記表示面に表示されている選択状態が非選択の他の分割領域を１箇所指定する入力を受け付けた場合に当該他の分割領域の前記選択状態を選択に更新し、前記表示面に表示されている選択状態が非選択の他の分割領域を複数箇所指定する入力を受け付けた場合に当該他の分割領域の前記選択状態を選択に更新するとともに、前記１の分割領域を含む選択状態が選択に更新されている分割領域の前記選択状態を非選択に更新する指定工程と、編集手段によって、前記指定工程で前記選択状態が選択に更新された分割領域に対して、前記表示面から、削除、移動、拡大、および縮小の少なくともいずれかを含む編集設定を受け付け、受け付けた編集設定に基づいて、編集処理を施す編集工程と、前記画像出力手段によって、前記編集工程で編集処理を施された画像データを画像出力する画像出力工程と、を含み、前記表示制御工程は、前記指定工程で前記選択状態が選択に更新された分割領域を、当該分割領域の前記選択状態が選択であることを識別可能な態様で前記表示面に表示させ、前記編集工程で編集処理を施された編集後画像を、前記表示面に表示させるものであることを特徴とする。
【００３９】
請求項２１にかかる発明は、プログラムにおいて、請求項１０〜１８のいずれか１つに記載の画像表示方法をコンピュータに実行させることを特徴とする。
【００４０】
請求項２２にかかる発明は、プログラムにおいて、請求項２０に記載の画像形成方法をコンピュータに実行させることを特徴とする。
【発明の効果】
【００４７】
請求項１にかかる発明によれば、１つの分割領域において１つの入力を受け付けた場合、それまでの選択指定に追加する追加の選択として受け付け、かつ、１つの分割領域において同時に２カ所以上の入力を受け付けた場合、新規の選択指定として受け付けて、それまでに選択指定がなされている分割領域を非選択指定とすることによって、例えば、指１本による接触入力の場合は追加選択とし２本指で接触入力した場合は新規選択として指定するなど、分割領域の指定と非選択の指定とを簡易な操作で区別できるので、作業効率の高い編集操作が可能となる。
【００４８】
請求項２にかかる発明によれば、計時手段によって、１つの分割領域において受け付ける複数の入力の間隔時間を計時し、入力の間隔時間が所定時間より短い場合は、入力を新規の選択指定として受け付け、かつ、入力の間隔時間が所定時間より短くない場合は、入力を追加の選択として受け付けることによって、分割領域に対する新規の選択指定と追加の選択指定とを区別できるので、作業効率の高い編集操作が可能となる。
【００４９】
請求項３にかかる発明によれば、計時手段によって、１つの分割領域において受け付ける複数の入力の間隔時間を計時し、入力の間隔時間が所定時間より長い場合は、入力を新規の選択指定として受け付け、かつ、入力の間隔時間が所定時間より長くない場合は、入力を追加の選択として受け付けることによって、分割領域に対する新規の選択指定と追加の選択指定とを区別できるので、作業効率の高い編集操作が可能となる。
【００５０】
請求項４にかかる発明によれば、計時手段は、分割領域において受け付ける入力の入力継続時間を計時し、入力の入力継続時間が所定時間より短い場合は、入力を新規の選択指定として受け付け、かつ、入力の入力継続時間が所定時間より短くない場合は、入力を追加の選択として受け付けることによって、分割領域に対する新規の選択指定と追加の選択指定とを区別できるので、作業効率の高い編集操作が可能となる。
【００５１】
請求項５にかかる発明によれば、計時手段は、分割領域において受け付ける入力の入力継続時間を計時し、入力の入力継続時間が所定時間より長い場合は、入力を新規の選択指定として受け付け、かつ、入力の入力継続時間が所定時間より長くない場合は、入力を追加の選択として受け付けることによって、分割領域に対する新規の選択指定と追加の選択指定とを区別できるので、作業効率の高い編集操作が可能となる。
【００５２】
請求項６にかかる発明によれば、表示制御部は、すでに選択指定がなされている分割領域にさらに入力を受け付けた場合、編集処理メニューを、表示面に表示し、表示面に表示された編集処理メニューを介して編集処理項目を受け付けることによって、選択指定された分割領域を介して編集処理を設定できるので、作業効率の高い編集操作が可能となる。
【００５３】
請求項７にかかる発明によれば、すでに選択指定がなされている分割領域にさらに入力を受け付けた場合、非選択の指定とすることによって、分割領域に対する選択指定と非選択指定とを区別できるので、作業効率の高い編集操作が可能となる。
【００５４】
請求項８にかかる発明によれば、分割領域からの入力によって、表示面に、新規選択、追加選択、および選択解除を含む選択メニューを表示させ、選択メニューから選択指定を受け付けることによって、分割領域を介して編集処理を設定できるので、作業効率の高い編集操作が可能となる。
【００５５】
請求項９にかかる発明によれば、分割領域と分割領域の選択状態とを対応付けて記憶することによって、分割領域の選択状態を管理できるので、作業効率の高い編集操作が可能となる。
【００６２】
請求項１０にかかる発明によれば、１つの分割領域において１つの入力を受け付けた場合、それまでの選択指定に追加する追加の選択として受け付け、かつ、１つの分割領域において同時に２カ所以上の入力を受け付けた場合、新規の選択指定として受け付けて、それまでに選択指定がなされている分割領域を非選択指定とすることによって、例えば、指１本による接触入力の場合は追加選択とし２本指で接触入力した場合は新規選択として指定するなど、分割領域の指定と非選択の指定とを簡易な操作で区別できるので、作業効率の高い編集操作が可能となる。
【００６３】
請求項１１にかかる発明によれば、計時手段によって、１つの分割領域において受け付ける複数の入力の間隔時間を計時し、入力の間隔時間が所定時間より短い場合は、入力を新規の選択指定として受け付け、かつ、入力の間隔時間が所定時間より短くない場合は、入力を追加の選択として受け付けることによって、分割領域に対する新規の選択指定と追加の選択指定とを区別できるので、作業効率の高い編集操作が可能となる。
【００６４】
請求項１２にかかる発明によれば、計時手段によって、１つの分割領域において受け付ける複数の入力の間隔時間を計時し、入力の間隔時間が所定時間より長い場合は、入力を新規の選択指定として受け付け、かつ、入力の間隔時間が所定時間より長くない場合は、入力を追加の選択として受け付けることによって、分割領域に対する新規の選択指定と追加の選択指定とを区別できるので、作業効率の高い編集操作が可能となる。
【００６５】
請求項１３にかかる発明によれば、計時手段は、分割領域において受け付ける入力の入力継続時間を計時し、入力の入力継続時間が所定時間より短い場合は、入力を新規の選択指定として受け付け、かつ、入力の入力継続時間が所定時間より短くない場合は、入力を追加の選択として受け付けることによって、分割領域に対する新規の選択指定と追加の選択指定とを区別できるので、作業効率の高い編集操作が可能となる。
【００６６】
請求項１４にかかる発明によれば、計時手段は、分割領域において受け付ける入力の入力継続時間を計時し、入力の入力継続時間が所定時間より長い場合は、入力を新規の選択指定として受け付け、かつ、入力の入力継続時間が所定時間より長くない場合は、入力を追加の選択として受け付けることによって、分割領域に対する新規の選択指定と追加の選択指定とを区別できるので、作業効率の高い編集操作が可能となる。
【００６７】
請求項１５にかかる発明によれば、表示制御部は、すでに選択指定がなされている分割領域にさらに入力を受け付けた場合、編集処理メニューを、表示面に表示し、表示面に表示された編集処理メニューを介して編集処理項目を受け付けることによって、選択指定された分割領域を介して編集処理を設定できるので、作業効率の高い編集操作が可能となる。
【００６８】
請求項１６にかかる発明によれば、すでに選択指定がなされている分割領域にさらに入力を受け付けた場合、非選択の指定とすることによって、分割領域に対する選択指定と非選択指定とを区別できるので、作業効率の高い編集操作が可能となる。
【００６９】
請求項１７にかかる発明によれば、分割領域からの入力によって、表示面に、新規選択、追加選択、および選択解除を含む選択メニューを表示させ、選択メニューから選択指定を受け付けることによって、分割領域を介して編集処理を設定できるので、作業効率の高い編集操作が可能となる。
【００７０】
請求項１８にかかる発明によれば、分割領域と分割領域の選択状態とを対応付けて記憶することによって、分割領域の選択状態を管理できるので、作業効率の高い編集操作が可能となる。
【００７１】
請求項１９にかかる発明によれば、１つの分割領域において１つの入力を受け付けた場合、それまでの選択指定に追加する追加の選択として受け付け、かつ、１つの分割領域において同時に２カ所以上の入力を受け付けた場合、新規の選択指定として受け付けて、それまでに選択指定がなされている分割領域を非選択指定とすることによって、例えば、指１本による接触入力の場合は追加選択とし２本指で接触入力した場合は新規選択として指定するなど、分割領域の指定と非選択の指定とを簡易な操作で区別できるので、作業効率の高い編集操作が可能となる。
【００７２】
請求項２０にかかる発明によれば、１つの分割領域において１つの入力を受け付けた場合、それまでの選択指定に追加する追加の選択として受け付け、かつ、１つの分割領域において同時に２カ所以上の入力を受け付けた場合、新規の選択指定として受け付けて、それまでに選択指定がなされている分割領域を非選択指定とすることによって、例えば、指１本による接触入力の場合は追加選択とし２本指で接触入力した場合は新規選択として指定するなど、分割領域の指定と非選択の指定とを簡易な操作で区別できるので、作業効率の高い編集操作が可能となる。
【００７３】
請求項２１にかかる発明によれば、請求項１０〜１８のいずれか１つに記載の画像表示方法をコンピュータに実行させることができる。
【００７４】
請求項２２にかかる発明によれば、請求項２０に記載の画像形成方法をコンピュータに実行させることができる。
【発明を実施するための最良の形態】
【００７５】
以下に添付図面を参照して、この発明にかかる画像表示装置、画像表示方法、画像形成装置、画像形成方法、および、それらの方法をコンピュータに実行させるプログラムの最良な実施の形態を、実施の形態１〜６、および変形例１〜８に沿って詳細に説明する。
【００７６】
（１．実施の形態１）
実施の形態１による画像表示装置は、読み込んだ画像データの画像種を解析して画像種によって領域に分割し、分割された領域に対して、選択の指定を受け付けて選択指定された分割領域に対して編集設定を施して画像を表示する。即ち、実施の形態１による画像表示装置は、一般的に電子機器に付属するタッチパネルのような操作表示部において、画像を分割領域単位に分けて簡便な選択的な操作により迅速に編集処理を施し、編集後の画像を表示部に表示する。
【００７７】
図１は、実施の形態１による画像表示装置を含む画像形成装置の機能的ブロック図である。画像形成装置はスキャナ１、画像処理部２、タッチパネル３、出力処理部４、画像出力部５、メモリ（ＨＤＤ）６、および画像表示装置１０を備える。
【００７８】
スキャナ１は、原稿画像を読み取る。画像処理部２は、読み取った原稿画像をデジタルデータに変換して画像データを生成し、画像表示装置１０に送信する。タッチパネル３は、操作者による接触入力によって、部分的な領域の選択指定、編集設定、および印刷設定を含む各種の設定入力を受け付ける。また、タッチパネル３は、読み込まれた画像データを表示する。また、タッチパネル３は、画像に対して受け付けられた編集処理が施された場合、編集後の画像を表示する。
【００７９】
タッチパネル３は、人間の指先、スタイラスペン、その他の接触入力具を介して接触することによって入力を受け付ける。タッチパネル３は、指先やペン先からの押圧により抵抗の変化を検知する抵抗膜方式、赤外線検知方式、あるいはアナログ容量結合方式などの公知技術によって、表示するパネル面のそれぞれの位置における入力を検出する。ここで、入力方式としては、接触入力方式が一般的である。
【００８０】
以下に入力の形態として、タッチパネル３に対して接触して入力を行う接触入力（以下、タッチ入力と称する）を例に挙げて説明するが、必ずしもタッチ入力のみが本発明の実施の形態ではない。入力方式として、マウスやキーボードを含む種々の入力方式を適用することができる。また、機械的に操作者による押下を受け付けて入力を行う操作部（不図示）を備えることができる。また、操作部は、印刷実行を指示する押下ボタンを備えることができる。
【００８１】
画像表示装置１０は、画像処理部２から受信する画像データに対して、各種の入力される編集設定に基づいて設定処理を施し、編集後の画像をタッチパネル３の表示面に表示させる。
【００８２】
出力処理部４は、画像表示装置１０から送信された編集後画像データに対して出力処理を施し、画像出力部５に送信する。画像出力部５は、画像データに基づいて印刷出力する。
【００８３】
実施の形態１による画像表示装置１０は、解析部１１、分割部１２、指定部１３、編集部１４、および表示制御部１５を備える。解析部１１は、入力した画像データに対して、エッジ領域の有無、画素値の濃淡の差、中間調画素値の多寡、などを検出して、文字画像、写真画像、図表画像、およびその他の画像のうちいずれの画像種であるかを解析する。このような解析手法は公知技術であるので、ここでは説明を省略する。
【００８４】
分割部１２は、解析部１１によって解析された結果に基づいて、画像データを画像種ごとに領域に分割する。領域分割は、たとえば文章の場合は段落ごとに分割する。写真画像および図表画像の場合は、それぞれ写真画像、および図表画像ごとに分割する。分割部１２は、領域分割した画像データを分割画像ファイルとしてＨＤＤ６に格納する。
【００８５】
分割部１２は、例えば、文字であると判定した部分が連続する領域を検出して、文字領域として領域に分割することができる。また、中間調画素が連続することを検出して、写真画像の領域を抽出し、領域として分割することができる。また、エッジ部および濃淡の差が激しいことを検出することによって、図表画像であることを検出できる。それ以外については、文字、写真、および図表画像でないものと判定し、分割処理を施す。これら画像を領域ごとに分割する技術は公知技術であるので、詳細な説明を省略する。
【００８６】
指定部１３は、タッチパネル３の表示面に表示された分割領域を介して、操作者の例えば指先による接触入力によって、分割領域が選択される指定である選択指定を受け付ける。指定部１３は、分割領域に対して指先やスタイラスペンなどが接触すると、押圧された部分の座標が検出され、分割領域の内部における接触であると検出すると、接触された分割領域を選択指定であるとして受け付ける。
【００８７】
指定部１３は、選択指定された分割領域の選択状態を示す情報を、画像データに書き込む。分割領域の選択状態は、選択／非選択／非表示の状態がある。表示制御部１５は、指定部１３の指定に基づいた分割領域の選択状態に従って、分割領域の選択状態をタッチパネル３に表示させる。
【００８８】
編集部１４は、編集処理を要求する入力信号を受け付ける。編集部１４は、分割部１２で分割され、指定部１３によって選択指定された分割領域に対して、受け付けた編集処理を施す。編集処理の項目は、例えば選択された分割領域に対する「移動」や「削除」などの編集項目である。例えば、タッチパネル３上に削除を示すアイコンあるいは削除キーを設けて、タッチ入力された場合、削除という編集処理を受け付ける。
【００８９】
編集部１４は、編集処理対象として分割領域が選択指定された分割領域に対して、受け付けた編集処理を施し、表示制御部１５に出力する。最初に読み込んだ画像データについては、編集処理が受け付けられていないので、編集部１４は、編集処理が施されていない状態の画像データをそのまま表示制御部１５に出力する。
【００９０】
編集処理としては、削除処理を例に取ると、読み込んだ画像のうちから写真領域および図表領域を選択指定して、選択された分割領域に対して削除処理を施す。このように処理することによって、文字だけの内容を残して画面に表示し、確認して印刷することができる。操作者は削除設定を、例えば表示面に設けられたアイコンから接触入力によって設定する。
【００９１】
表示制御部１５は、編集部１４による編集処理に従って、タッチパネル３上に編集後の画像を表示する。編集後の画像として、表示制御部１５は、タッチパネル３上に、受け付けた分割領域の選択状態、および印刷形式を規定する項目の実行結果などを表示する。印刷の実行キーが押下された場合、出力処理部４は、編集処理がなされた画像データにより出力処理を施し、画像出力部５が印刷出力する。
【００９２】
表示制御部１５は、分割部１２によって分割領域に分けられた画像データを、ＨＤＤ６に格納させる。また、表示制御部１５は、ＨＤＤ６に格納された分割領域のデータ、分割領域の配置に関する情報、選択／非選択／非表示などの分割領域に関連付けられた情報を書き換え、さらに格納する。
【００９３】
図２は、実施の形態１による画像表示装置が画像を領域分割して表示した一例を示す図である。ここでは、読み込まれた原稿画像は段落、タイトル、写真など文書を構成する領域に分割され、太い実線で矩形に囲んで表示している。分割領域は、太線でなくても実機においては青い枠組みを表す実線のように色彩を変化させて表示することもできる。
【００９４】
図３は、領域分割された画像データのデータ構造を示す図である。図４は、分割領域を規定する位置データを説明する図である。今、図３は、図２に示す表示を規定する画像データである。表示制御部１５は、図３に示した画像データを読み込んで図２に示されたように表示を行う。
【００９５】
図３のＮｏ欄（符号３０１）は、分割部１２によって分割された分割領域に対して付与された領域番号である。ここでは、合計１３の領域が抽出されて領域分割され、各分割領域に対して１〜１３の番号が付与される。また、ＡＲＥＡ欄（符号３０２）は、分割領域の占める位置データである。位置データは、タッチパネル３に座標軸を設定し、設定された座標軸の座標値によって表現している。
【００９６】
分割領域の位置データを設定するためのｘ軸およびｙ軸が、図４に示すように設定されている。これらの軸は、画像形成装置であれば主走査線方向および副走査線方向に設定するのが便利である。４つのパラメータの組（ｘ、ｙ、ｗ、ｈ）によって、矩形の大きさと位置が規定される。ここで、ｘ、ｙ、ｗ、ｈはそれぞれ起点となるｘ軸の座標、起点となるｙ軸の座標、ｘ軸方向の幅、ｙ軸方向の高さである。
【００９７】
ＳＥＬ＿ＳＴＡＴＵＳ（符号３０３）は、各分割領域に関連付けられている選択状態を示す。選択、非選択、非表示をそれぞれ、ＳＥＬ、ＮＯＳＥＬ、ＤＥＬで示す。最初、画像を入力した直後で何も選択されていない状態では、全ての要素のＳＥＬ＿ＳＴＡＴＵＳはＮＯＳＥＬである。
【００９８】
また、画像データの欄（符号３０４）は、それぞれの分割領域における具体的な画像データ、即ち分割領域画像データである。
【００９９】
指定部１３は、分割領域に対して、タッチパネル３上で表示される分割領域を介して、選択状態を指定する入力を受け付ける。矩形で囲まれた領域は選択可能な状態であり、新規選択、追加選択、選択解除の状態の入力を受け付ける。タッチパネル３上の分割領域から入力された場合、指定部１３は、受け付けた入力に対応する選択状態を設定する。
【０１００】
表示制御部１５は、指定部１３が受け付けた選択状態に従って、画像ファイルを書き換える。即ち、表示制御部１５は、分割領域番号であるＮｏ（３０１）に関連付けられた選択状態ＳＥＬ＿ＳＴＡＴＵＳ（３０３）を、選択状態にしたがって書き換える。そして、表示制御部１５は、書き換えられた画像ファイルに従って、タッチパネル３上に再び表示させる。これによって、分割領域の選択状態が変化した場合には、変化した態様で表示できる。
【０１０１】
図５は、分割領域が選択指定された場合を示す図である。図６は、分割領域が選択指定された場合を規定する画像データの構造を示す図である。今、操作者が、領域５０１〜５０４に対して接触入力を行ったとする。指定部１３は、接触入力を受け付け、図６に示すように、図３の画像データ３００において分割領域がＮｏ１からＮｏ４までのＳＥＬ＿ＳＴＡＴＵＳを、ＳＥＬに書き換えた画像データ６００を生成する。表示制御部１５は、生成された画像データ６００に従って、図５に示すように、選択された分割領域５０１〜５０４を太い点線で囲んだ矩形として表示する。
【０１０２】
図７は、選択された分割領域が削除処理された場合を示す図である。図８は、選択された分割領域が削除処理された場合を規定する画像データの構造を示す図である。図示するように削除キー７０２がタッチ入力された場合、編集部１４は「削除」の編集設定を受け付ける。編集部１４は、ＳＥＬ＿ＳＴＡＴＵＳがＳＥＬになっている分割領域のＳＥＬ＿ＳＴＡＴＵＳをＤＥＬへと書き換える（符号８０１）。
【０１０３】
編集部１４は、図６において番号１−４の分割領域が選択指定されている状態、即ちＳＥＬが書き込まれている状態から、図８に示すようにＮｏ１〜４をＤＥＬに書き換える。表示制御部１５は、このように書き換えた画像データ８００に従って、図５で選択指定が示された分割領域５０１〜５０４を削除した表示（図７）を行う。
【０１０４】
タッチパネル３上の印刷キー７０３が接触入力されると、出力処理部４は、印刷命令を受け付けて、タッチパネル３上に表示されている印刷形式で、即ち、編集部１４によって編集された画像データに基づいて出力処理を施し、画像出力部５に印刷出力させる。
【０１０５】
図９は、実施の形態１による画像表示手順を示すフローチャートである。解析部１１は、スキャナ１が入力画像データを読み取って画像処理部２が生成する画像データに対して、画像データの画像種を解析する。画像種の解析は、エッジ部の検出、中間調画素値が連続したこと、画素値の濃淡の差の検出などの公知技術を用いて文字、写真、図表、その他の画像種に解析する（ステップＳ１０１）。
【０１０６】
分割部１２は、解析部１１によって解析された画像の画像種によって、領域に分割する。この場合、文字種の画像が連続したこと、中間調画素値が連続したこと、エッジ部の検出、画素値の濃淡の差の検出などの公知技術を用いて領域に分割する（ステップＳ１０２）。
【０１０７】
表示制御部１５は、分割部１２による領域分割に従って、分割領域による画像データを生成し、ＨＤＤ６に格納するとともに、タッチパネル３上に表示させる（ステップＳ１０３）。
【０１０８】
指定部１３は、分割領域を介して、その分割領域が選択指定の入力を受け付けたか否かを検出し（ステップＳ１０４）、操作者による接触入力によって検出した場合（ステップＳ１０４のＹｅｓ）、指定部１３は、入力を受け付けた分割領域を選択指定する。これは、例えば、図５において分割領域５０１〜５０４が選択された場合、図６に示すようにＳＥＬ＿ＳＴＡＴＵＳがＳＥＬに書き換えられる（ステップＳ１０５）。一方、操作者による接触入力によって検出しなかった場合（ステップＳ１０４のＮｏ）、上記のステップＳ１０５を行わずに、次のステップＳ１０６に移行する。
【０１０９】
編集部１４は、分割領域が選択指定された状態において、編集入力を受け付けたか否かを検出する（ステップＳ１０６）。編集部１４が、編集入力を受け付けたことを検出した場合、例えば図７に示す削除キー７０２が押下されたことを検出した場合（ステップＳ１０６のＹｅｓ）、編集部１４は、受け付けた編集項目である削除要求に従って編集処理である削除処理を施す。これによって、編集部１４は、図８に示す符号８０１のように、選択された分割領域のＳＥＬ＿ＳＴＡＴＵＳを、削除を示すＤＥＬに書き換える（ステップＳ１０７）。
【０１１０】
一方、編集部１４は、分割領域が選択指定された状態において、編集入力を受け付けなかった場合（ステップＳ１０６のＮｏ）、ステップＳ１０４に戻って、指定部１３は、分割領域を介して、その分割領域が選択指定の入力を受け付けたか否かを検出する。このようにして、追加選択が可能になる。
【０１１１】
また、分割領域が選択されないで編集入力を受付けた場合や、指定部１３によって一旦選択されたが、元に戻して非選択とされた場合に編集入力を受付けた場合の処理については、ＳＥＬ＿ＳＴＡＴＵＳ情報が変化しないので、ステップＳ１０７における処理では、何もしないということになる。
【０１１２】
表示制御部１５は、編集部１４が施した編集処理に従って、即ち削除処理を施された分割領域５０１〜５０４を表示しない状態（図７）で、タッチパネル３上に画像を表示する（ステップＳ１０８）。
【０１１３】
図１０は、分割領域が追加して選択指定された場合を示す図である。図１１は、分割領域が追加して選択指定された場合を規定する画像データの構造を示す図である。
【０１１４】
分割領域が選択指定されて表示面に表示された状態（ステップＳ１０５）から、新たに他の分割領域５０５が、操作者の接触入力によって追加して選択指定された場合（ステップＳ１０４のＹｅｓ）、既に選択されている分割領域はそのままの選択状態を保ちながら、分割領域５０５が追加選択されて、太い点線による矩形（符号１１０１）で囲まれる。これまで選択されていた分割領域５０１〜５０４を囲む矩形も、太い点線の矩形で囲まれたままである。
【０１１５】
このとき、指定部１３は、画像データ１２００における分割領域Ｎｏ５のＳＥＬ＿ＳＴＡＴＵＳをＳＥＬ（符号１２０１）に書き換える。Ｎｏ１〜４のＳＥＬ＿ＳＴＡＴＵＳは保持されている。
【０１１６】
この選択状態において、操作者が削除キー１１０２をタッチ入力することによって、編集部１４が、削除処理の入力を受け付けた場合（ステップＳ１０６のＹｅｓ）、編集部１４は、該当する分割領域Ｎｏ１〜５のＳＥＬ＿ＳＴＡＴＵＳをＤＥＬに書き換えて、削除処理を実行する。表示制御部１５は、編集部１４が書き換えた画像データに従って再び、タッチパネル３上に表示する。この場合、分割領域Ｎｏ１〜５が削除された画像が表示される（不図示）。
【０１１７】
図１２は、移動処理前の画像を示す図である。図１３は、移動処理前の画像を規定する画像データの構造を示す図である。図１４は、移動処理後の画像を示す図である。図１５は、移動処理後の画像を規定する画像データの構造を示す図である。今、操作者が、タッチパネル３上で図１２に示された分割領域１３０１をタッチ入力により選択し、移動キー１３０２にタッチ入力したとする。
【０１１８】
指定部１３は、先ず、分割領域１３０１に対するタッチ入力を受信し、分割領域１３０１のＳＥＬ＿ＳＴＡＴＵＳはＳＥＬに書き換える。編集部１４は、移動キー１３０２のタッチ入力を検出して、ＳＥＬ＿ＳＴＡＴＵＳがＳＥＬにされた分割領域１３０１の画像データに対して、ＡＲＥＡの書き換えを行う。操作者は、指先を移動先までなぞる等して、タッチパネル３を介して移動先情報が編集部１４に入力される。編集部１４は、入力された移動先情報によって分割領域１３０１のＡＲＥＡ情報を（５０，３，３５，６）と書き換え（符号１６０１）、ＳＥＬ＿ＳＴＡＴＵＳをＮＯＳＥＬに書き換える。
【０１１９】
表示制御部１５は、編集部１４によって書き換えられたＡＲＥＡ情報とＳＥＬ＿ＳＴＡＴＵＳ情報に従って、移動処理を施された分割領域１５０１を表示する。
【０１２０】
（変形例１）
図１６は、分割領域が新たに選択指定される他の場合を示す図である。図１７は、分割領域が新たに選択指定される他の場合を規定する画像データの構造を示す図である。ここでは、指定部１３は、新たに分割領域が選択指定された場合、選択指定された領域以外の分割領域を非選択とするように、画像データを書き換える。
【０１２１】
今、図５に示した状態から、新たに、タッチパネル３上に表示されている分割領域５０５（図５）が、選択指定されたとする。指定部１３は、分割領域５０５の選択指定を受け付け、図１７に示すように分割領域１７０１に対応するＳＥＬ＿ＳＴＡＴＵＳをＮＯＳＥＬからＳＥＬに書き換え（符号１８０１）、他は全てＮＯＳＥＬに書き換える。
【０１２２】
このようにして、実施の形態１による画像表示装置は、読み込んだ画像から画像種を解析して分割領域からなる画像データを生成し、タッチパネル３上に領域分割した形で表示し、分割領域を介して分割領域が選択されて、編集項目が設定されると、選択された分割領域に対して編集処理を施して編集後の画像を表示する。この構成によって、タッチパネル３上で画像を見ながら簡易な操作によって編集を確認して、出力画像を設定できる。また、この画像表示装置を備えた画像形成装置は、タッチパネル３上で画像を見ながら簡易な操作によって編集を確認して、編集した画像を出力することができる。
【０１２３】
（２．実施の形態２）
実施の形態２による画像表示装置２０が、実施の形態１と異なる点は、一旦、選択指定した分割領域に対して、選択指定を取り消して非選択とすることである。これによって、分割領域を間違って選択指定した場合でも、それを取り消して所望の分割領域を選択指定して編集処理を施すことができる。
【０１２４】
図１８は、実施の形態２による画像表示装置の機能的ブロック図である。指定部２３は、分割領域に対するタッチ入力によって、タッチされた分割領域を選択指定する。ここで、指定部２３は、タッチパネル３に表示された分割領域より外側からのタッチ入力を受け付ける。このように、分割領域が選択指定されていて、さらに分割領域より外側からのタッチ入力を受け付けた場合、指定部２３は、すでに選択指定されている分割領域を、非選択の指定とする。
【０１２５】
指定部２３は、タッチパネル３においてタッチ入力された箇所が接触動作によって分割領域より外側であった場合は、そのことを検出する。選択された分割領域があって、かつ、次に任意の分割領域より外側の接触入力箇所を検出することによって、指定部２３は、選択されていた分割領域のＳＥＬ＿ＳＴＡＴＵＳをＮＯＳＥＬに書き換える。
【０１２６】
表示制御部１５が、書き換えられたＳＥＬ＿ＳＴＡＴＵＳに基づいて、タッチパネル３での該当分割領域を非選択として表示する。
【０１２７】
（変形例２）
また、指定部２３は、分割領域より外側からのタッチ入力によるタッチを継続したまま、新たに分割領域にタッチ入力がなされた場合、それまでの選択指定に加えて、タッチ入力がなされた分割領域に対する追加の選択指定を受け付ける構成とする。
【０１２８】
（変形例３）
また、指定部２３は、分割領域より外側からのタッチ入力、および分割領域からのタッチ入力が同時になされた場合、同時にタッチされた分割領域を新規の選択指定として受け付け、それまでに選択指定がなされている分割領域を非選択指定とする構成とする。
【０１２９】
このようにして実施の形態２においては、タッチパネル３上で、表示されている分割領域がすでに選択指定されている場合において、表示される分割領域より外側の画面上の接触点に対する接触入力を有効に利用して、種々の選択／非選択の設定をなすことができので、簡易な操作によって編集処理を施された仕上がりの画像を表示面に表示させることができる。
【０１３０】
（３．実施の形態３）
実施の形態３による画像表示装置が、実施の形態１と異なる点は、１つの分割領域において２カ所のタッチ入力を受け付けた場合に、選択状態を異なる設定とする点である。
【０１３１】
図１９は、実施の形態３による画像表示装置の機能的ブロック図である。指定部３３は、１つの分割領域において１つのタッチ入力を受け付けた場合、それまでの選択指定に追加する追加の選択として受け付ける。そして、指定部３３は、１つの分割領域において同時に２カ所以上のタッチ入力を受け付けた場合、新規の選択指定として受け付けて、それまでに選択指定がなされている分割領域を非選択指定とする。これによって、異なる簡易な動作による接触入力によって、選択および非選択の設定を行うことができる。
【０１３２】
（変形例４）
一方、この逆に、指定部３３は、１つの分割領域において同時に２カ所以上のタッチ入力を受け付けた場合、それまでの選択指定に追加する追加の選択として受け付け、かつ、１つの分割領域において１つのタッチ入力を受け付けた場合、新規の選択指定として受け付けて、それまでに選択指定がなされている分割領域を非選択指定とする。
【０１３３】
このようにして実施の形態３による画像表示装置は、タッチパネル３上に表示される１つの分割領域に対して、１カ所のタッチ入力と、２カ所以上のタッチ入力によって、追加の選択であるか、あるいは新規の選択であるかを区別することによって、例えば指先１本で接触入力する場合と２本で接触入力する場合に分けた簡易な操作によって、選択／非選択の指定が可能になるので、タッチパネル３上で画像を見ながら簡易な操作によって自由度の高い編集によって、出力画像を設定できる。また、この画像表示装置を備えた画像形成装置は、タッチパネル３上で画像を見ながら簡易な操作によって自由度の高い編集による画像を出力することができる。
【０１３４】
（４．実施の形態４）
実施の形態４による画像表示装置が実施の形態１と異なる点は、さらに計時部を備え、複数のタッチ入力の間隔時間、あるいは継続時間を計時することによって、選択状態を決定することができる点である。
【０１３５】
図２０は、実施の形態４による画像表示装置の機能的ブロック図である。実施の形態４による画像表示装置４０は、複数のタッチ入力の間隔時間を計測する計時部４６を備える。
【０１３６】
計時部４６は、１つの分割領域において受け付ける複数のタッチ入力の間隔時間を計時し、指定部４３は、計時部４６が計時したタッチ入力の間隔時間が所定時間より短い場合は、タッチ入力を新規の選択指定として受け付ける。さらに、タッチ入力の間隔時間が所定時間より短くないと判定した場合は、タッチ入力を追加の選択指定として受け付ける。
【０１３７】
この構成によって、タッチパネル３上で画像を見ながらタッチ入力するテンポを速めたり遅くしたりすることによって、選択と非選択との指定を区別することができ、簡易な操作によって自由度の高い編集を行って、出力画像を設定できる。また、この画像表示装置を備えた画像形成装置は、タッチパネル３上で画像を見ながら簡易な操作によって自由度の高い編集による画像を出力することができる。
【０１３８】
（変形例５）
一方、上記の逆に、指定部４３は、計時部４６が計時したタッチ入力の間隔時間が所定時間より長い場合は、タッチ入力を新規の選択指定として受け付け、かつ、タッチ入力の間隔時間が所定時間より長くない場合は、タッチ入力を追加の選択指定として受け付ける構成とすることができる。このように構成することによって、テンポを速めて接触入力した場合は追加の選択指定とすることができる。
【０１３９】
（変形例６）
また、指定部４３は、分割領域に対するタッチ入力においてタッチしている継続時間が所定時間より短い場合は、タッチ入力を新規の選択指定として受け付け、かつ、タッチ入力の入力継続時間が所定時間より短くない場合は、タッチ入力を追加の選択指定として受け付ける構成とすることができる。このようにして、短く押すことによって新規の選択とし、長く押し続けることによって追加の選択指定とすることができる。
【０１４０】
又、その逆に、指定部４３は、分割領域に対するタッチ入力においてタッチしている継続時間が所定時間より長い場合は、タッチ入力を新規の選択指定として受け付け、かつ、タッチ入力の入力継続時間が所定時間より長くない場合は、タッチ入力を追加の選択指定として受け付ける構成とすることができる。このようにして、長く押し続けることによって新規の選択とし、短く押すことによって追加の選択指定とすることができる。
【０１４１】
このようにして実施の形態４による画像表示装置は、指定部４３が、タッチパネル３上に表示される分割領域を介して、複数個のタッチ入力における間隔時間、あるいは継続時間を計時し、計時した時間に従って、追加の選択であるか、あるいは新規の選択であるかを区別するので、タッチ入力のテンポや長押し時間という簡易な操作によって選択あるいは非選択を自由に指定できるので、タッチパネル３上で画像を見ながら簡易な操作によって自由度の高い編集入力ができ、出力画像を設定できる。また、この画像表示装置を備えた画像形成装置は、タッチパネル３上で画像を見ながら簡易な操作によって自由度の高い編集入力を行って、画像を出力することができる。
【０１４２】
（５．実施の形態５）
実施の形態５による画像表示装置が実施の形態１と異なる点は、１つの分割領域に対してタッチ入力が連続してなされた場合は、編集メニューをタッチパネル３上に表示し、表示された編集メニューから編集項目を設定することができる点である。
【０１４３】
図２１は、実施の形態５による画像表示装置の機能的ブロック図である。表示制御部５５は、指定部５３がすでに選択指定がなされている分割領域に対してさらにタッチ入力を受け付けた場合、編集処理メニューを、表示面に表示する。そして、編集部５４は、表示面に表示された編集処理メニューを介して編集処理項目を受け付ける。編集処理メニューとしては、例えばプルダウン式に削除、移動、拡大、縮小などを表示する。そして、表示されたメニューから接触入力によって編集設定できる。
【０１４４】
表示制御部５５は、タッチパネル３上に表示される分割領域を介してすでに選択されている分割領域に対してさらにタッチ入力なされた場合、タッチパネル３上に編集メニューを表示し、表示した編集メニューから編集項目をタッチ入力によって設定入力することができるので、タッチパネル３上で画像を見ながら簡易な操作による自由度の高い編集によって、出力画像を設定できる。また、この画像表示装置を備えた画像形成装置は、タッチパネル３上で画像を見ながら簡易な操作による自由度の高い編集による画像を出力することができる。
【０１４５】
（変形例７）
また、１つの分割領域に対してタッチ入力が連続してなされた場合は、選択状態を指定するための選択メニューをタッチパネル３上に表示し、表示された選択メニューから選択指定状態を指定する。
【０１４６】
表示制御部５５は、すでに選択指定がなされている分割領域にさらにタッチ入力を受け付けた場合、選択状態を指定する選択メニューを表示面に表示させる。そして、指定部５３は、表示面に表示された選択メニューを介して選択状態の指定を受け付ける。
【０１４７】
（変形例８）
また、タッチパネル３上に表示されている分割領域がタッチ入力を受け付けた時点で、編集メニューを表示し、表示された編集メニューから編集項目を受け付けて設定する構成とすることができる。
【０１４８】
表示制御部５５は、指定部５３が分割領域からのタッチ入力を受け付けた場合、タッチパネル３上に、編集メニューデータを生成して編集メニューを表示させ、編集部５４は表示制御部５５が表示させた編集メニューを介して編集設定をタッチ入力によって受け付ける。
【０１４９】
このようにして、指定部５３がタッチパネル３上に表示される分割領域を介してタッチ入力を受け付けた場合、タッチパネル３上に編集メニューを表示し、表示した編集メニューから編集項目をタッチ入力によって設定することができるので、タッチパネル３上で画像を見ながら簡易な操作による自由度の高い編集によって、出力画像を設定できる。また、この画像表示装置を備えた画像形成装置は、タッチパネル３上で画像を見ながら簡易な操作による自由度の高い編集による画像を出力することができる。
【０１５０】
（変形例９）
また、タッチパネル３上に表示されている分割領域がタッチ入力を受け付けた時点で、選択メニューを表示し、表示された選択メニューから選択状態を指定する入力を受け付けて、選択状態を指定する構成とすることができる。
【０１５１】
表示制御部５５は、指定部５３が分割領域からのタッチ入力を受け付けた場合、タッチパネル３上に、新規選択、追加選択、および選択解除を含む選択メニューデータを生成して選択メニューを表示させて、指定部５３は表示制御部５５が表示させた選択メニューを介しての選択指定をタッチ入力により受け付ける。
【０１５２】
このようにして、指定部５３がタッチパネル３上に表示される分割領域を介してタッチ入力を受け付けた場合、タッチパネル３上に選択指定用のメニューを表示し、表示した選択メニューから選択状態をタッチ入力によって指定することができるので、タッチパネル３上で画像を見ながら簡易な操作による自由度の高い編集によって、出力画像を設定できる。また、この画像表示装置を備えた画像形成装置は、タッチパネル３上で画像を見ながら簡易な操作による自由度の高い編集による画像を出力することができる。
【０１５３】
（６．実施の形態６）
実施の形態６による画像表示装置が実施の形態１と異なる点は、１つの分割領域に対してタッチ入力が連続してなされた場合は、その分割領域を非選択指定とする点である。
【０１５４】
図２２は、実施の形態６による画像表示装置の機能的ブロック図である。指定部６３は、指定部６３によってすでに選択指定がなされている分割領域にさらにタッチ入力を受け付けた場合、非選択の指定とする。
【０１５５】
指定部１３は、タッチパネル３上に表示される分割領域を介して、すでに選択されている分割領域に対してさらにタッチ入力なされた場合、当該分割領域を非選択に設定することができるので、タッチパネル３上で画像を見ながら簡易な操作による自由度の高い編集によって、出力画像を設定できる。また、この画像表示装置を備えた画像形成装置は、タッチパネル３上で画像を見ながら簡易な操作による自由度の高い編集による画像を出力することができる。
【０１５６】
このようにして、本発明の実施の形態による画像形成装置は、印刷に先立って画像表示装置の表示画面で印刷形式を確認でき、さらに画面上で分割領域の新規選択、追加選択、非選択を指定し、選択指定した分割領域に対して編集処理を施し、編集後の画像を表示することができるので、簡易な編集操作で印刷状態を確認できる利便性の高いものとなる。
【０１５７】
（７．ハードウェア構成など）
図２３は、実施の形態による画像形成装置のハードウェア構成を示すブロック図である。この画像形成装置は、ファックスやスキャナなどの複合的機能を備える複合機（ＭＦＰ）として構成されている。図に示すように、このＭＦＰは、コントローラ１２１０とエンジン部２２６０とをＰＣＩ（Ｐｅｒｉｐｈｅｒａｌ  Ｃｏｍｐｏｎｅｎｔ  Ｉｎｔｅｒｃｏｎｎｅｃｔ）バスで接続した構成となる。コントローラ２２１０は、ＭＦＰ全体の制御、画像表示制御、各種制御、画像処理制御など、ＦＣＵＩ／Ｆ２２３０、操作表示部（タッチパネル）２２２０からの入力を制御するコントローラである。エンジン部２２６０は、ＰＣＩバスに接続可能な画像処理エンジンなどであり、例えば取得した画像データに対して誤差拡散やガンマ変換などの画像処理部分が含まれる。
【０１５８】
コントローラ２２１０は、ＣＰＵ２２１１と、ノースブリッジ（ＮＢ）２２１３と、システムメモリ（ＭＥＭ−Ｐ）２２１２と、サウスブリッジ（ＳＢ）２２１４と、ローカルメモリ（ＭＥＭ−Ｃ）２２１７と、ＡＳＩＣ（Ａｐｐｌｉｃａｔｉｏｎ  Ｓｐｅｃｉｆｉｃ  Ｉｎｔｅｇｒａｔｅｄ  Ｃｅｒｃｕｉｔ）２２１６と、ハードディスクドライブ２２１８とを有し、ノースブリッジ２２１３とＡＳＩＣ２２１６との間をＡＧＰ（Ａｃｃｅｌｅｒａｔｅｄ  Ｇｒａｐｈｉｃｓ  Ｐｏｒｔ）バス２２１５で接続した構成となる。また、ＭＥＭ−Ｐ２２１２は、ＲＯＭ（Ｒｅａｄ  Ｏｎｌｙ  Ｍｅｍｏｒｙ）２２１２ａと、ＲＡＭ（Ｒａｎｄｏｍ  Ａｃｃｅｓｓ  Ｍｅｍｏｒｙ）２２１２ｂとをさらに有する。
【０１５９】
ＣＰＵ２２１１は、ＭＦＰの全体制御を行うものであり、ＮＢ２２１３、ＭＥＭ−Ｐ２２１２およびＳＢ２２１４からなるチップセットを有し、このチップセットを介して他の機器と接続される。
【０１６０】
ＮＢ２２１３は、ＣＰＵ２２１１とＭＥＭ−Ｐ２２１２、ＳＢ２２１４、ＡＧＰ２２１５とを接続するためのブリッジであり、ＭＥＭ−Ｐ２２１２に対する読み書きなどを制御するメモリコントローラと、ＰＣＩマスタおよびＡＧＰターゲットとを有する。
【０１６１】
ＭＥＭ−Ｐ２２１２は、プログラムやデータの格納用メモリ、プログラムやデータの展開用メモリなどとして用いるシステムメモリであり、ＲＯＭ２２１２ａとＲＡＭ２２１２ｂとからなる。ＲＯＭ２２１２ａは、プログラムやデータの格納用メモリとして用いる読み出し専用のメモリであり、ＲＡＭ２２１２ｂは、プログラムやデータの展開用メモリ、画像処理時の画像描画メモリなどとして用いる書き込みおよび読み出し可能なメモリである。
【０１６２】
ＳＢ２２１４は、ＮＢ２２１３とＰＣＩデバイス、周辺デバイスとを接続するためのブリッジである。このＳＢ２２１４は、ＰＣＩバスを介してＮＢ２２１３と接続されており、このＰＣＩバスには、ＦＣＵＩ／Ｆ２２３０なども接続される。
【０１６３】
ＡＳＩＣ２２１６は、マルチメディア情報処理用のハードウェア要素を有するマルチメディア情報処理用途向けのＩＣ（Ｉｎｔｅｇｒａｔｅｄ  Ｃｉｒｃｕｉｔ）であり、ＡＧＰ２２１５、ＰＣＩバス、ＨＤＤ２２１８およびＭＥＭ−Ｃ２２１７をそれぞれ接続するブリッジの役割を有する。
【０１６４】
このＡＳＩＣ２２１６は、ＰＣＩターゲットおよびＡＧＰマスタと、ＡＳＩＣ２２１６の中核をなすアービタ（ＡＲＢ）と、ＭＥＭ−Ｃ２２１７を制御するメモリコントローラと、ハードウェアロジック等により画像データの回転などを行う複数のＤＭＡＣ（Ｄｉｒｅｃｔ  Ｍｅｍｏｒｙ  Ａｃｃｅｓｓ  Ｃｏｎｔｒｏｌｌｅｒ）と、エンジン部２２６０との間でＰＣＩバスを介してＵＳＢ（Ｕｎｉｖｅｒｓａｌ  Ｓｅｒｉａｌ  Ｂｕｓ）２２４０、ＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４インタフェース２２５０が接続される。
【０１６５】
ＭＥＭ−Ｃ２２１７は、送信用画像バッファ、符号バッファとして用いるローカルメモリであり、ＨＤＤ２２１８は、画像データの蓄積、プログラムの蓄積、フォントデータの蓄積、フォームの蓄積を行うためのストーレジである。
【０１６６】
ＡＧＰ２２１５は、グラフィック処理を高速化するために提案されたグラフィックスアクセラレータカード用のバスインタフェースであり、ＭＥＭ−Ｐ２２１２に高スループットで直接アクセスすることにより、グラフィクスアクセラレータカードを高速にするものである。
【０１６７】
ＡＳＩＣ２２１６に接続する操作表示部（タッチパネル）２２２０は、操作者からの操作入力を受け付けて、ＡＳＩＣ２２１６に受け付けられた操作入力情報を送信する。
【０１６８】
なお、実施の形態のＭＦＰで実行される画像表示プログラムおよび画像形成プログラムは、ＲＯＭ等に予め組み込まれて提供される。
【０１６９】
実施の形態のＭＦＰで実行される画像表示プログラムおよび画像形成プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１７０】
さらに、実施の形態によるＭＦＰで実行される画像表示プログラムおよび画像形成プログラムを、インターネット等のネットワークに接続されたコンピュータ上に格納し、ネットワーク経由でダウンロードさせることにより提供するように構成しても良い。また、実施の形態のＭＦＰで実行される画像表示プログラムおよび画像形成プログラムをインターネット等のネットワーク経由で提供または配布するように構成しても良い。
【０１７１】
実施の形態のＭＦＰで実行される画像表示プログラムおよび画像形成プログラムは、上述した各部（解析部１１、分割部１２，指定部１３、編集部１４、表示制御部１５、および計時部２６など）を含むモジュール構成となっており、実際のハードウェアとしてはＣＰＵ（プロセッサ）が上記ＲＯＭから画像表示プログラムおよび画像形成プログラムを読み出して実行することにより上記各部が主記憶装置上にロードされ、解析部１１、分割部１２，指定部１３、編集部１４、表示制御部１５、および計時部２６などが主記憶装置上に生成されるようになっている。
【０１７２】
以上説明した本発明の実施の形態あるいは変形例は、説明のための一例であって、本発明はここに説明したこれらの具体例に限定されるものではない。
【産業上の利用可能性】
【０１７３】
以上のように、本発明にかかる画像表示装置、画像表示方法、画像形成装置、画像形成方法、およびそれらの方法をコンピュータに実行させるプログラムは、画像表示技術に有用であり、特に、デジタル複合機など画像形成装置における画像表示技術に適している。
【図面の簡単な説明】
【０１７４】
【図１】実施の形態１による画像表示装置を含む画像形成装置の機能的ブロック図である。
【図２】実施の形態１による画像表示装置が画像を領域分割して表示した一例を示す図である。
【図３】領域分割された画像データのデータ構造を示す図である。
【図４】分割領域を規定する位置データを説明する図である。
【図５】分割領域が選択指定された場合を示す図である。
【図６】分割領域が選択指定された場合を規定する画像データの構造を示す図である。
【図７】選択された分割領域が削除処理された場合を示す図である。
【図８】選択された分割領域が削除処理された場合を規定する画像データの構造を示す図である。
【図９】実施の形態１による画像表示手順を示すフローチャートである。
【図１０】分割領域が追加して選択指定された場合を示す図である。
【図１１】分割領域が追加して選択指定された場合を規定する画像データの構造を示す図である。
【図１２】移動処理前の画像を示す図である。
【図１３】移動処理前の画像を規定する画像データの構造を示す図である。
【図１４】移動処理後の画像を示す図である。
【図１５】移動処理後の画像を規定する画像データの構造を示す図である。
【図１６】分割領域が新たに選択指定される他の場合を示す図である。
【図１７】分割領域が新たに選択指定される他の場合を規定する画像データの構造を示す図である。
【図１８】実施の形態２による画像表示装置の機能的ブロック図である。
【図１９】実施の形態３による画像表示装置の機能的ブロック図である。
【図２０】実施の形態４による画像表示装置の機能的ブロック図である。
【図２１】実施の形態５による画像表示装置の機能的ブロック図である。
【図２２】実施の形態６による画像表示装置の機能的ブロック図である。
【図２３】実施の形態による画像形成装置のハードウェア構成を示すブロック図である。
【符号の説明】
【０１７５】
１  スキャナ
２  画像処理部
３  タッチパネル
４  出力処理部
５  画像出力部
６  ハードディスクドライブ
１０  画像表示装置
１１  解析部
１２  分割部
１３  指定部
１４  編集部
１５  表示制御部
２６  計時部
【図１】
0004807999.tif 000002
【図２】
0004807999.tif 000003
【図３】
0004807999.tif 000004
【図４】
0004807999.tif 000005
【図５】
0004807999.tif 000006
【図６】
0004807999.tif 000007
【図７】
0004807999.tif 000008
【図８】
0004807999.tif 000009
【図９】
0004807999.tif 000010
【図１０】
0004807999.tif 000011
【図１１】
0004807999.tif 000012
【図１２】
0004807999.tif 000013
【図１３】
0004807999.tif 000014
【図１４】
0004807999.tif 000015
【図１５】
0004807999.tif 000016
【図１６】
0004807999.tif 000017
【図１７】
0004807999.tif 000018
【図１８】
0004807999.tif 000019
【図１９】
0004807999.tif 000020
【図２０】
0004807999.tif 000021
【図２１】
0004807999.tif 000022
【図２２】
0004807999.tif 000023
【図２３】
0004807999.tif 000024